(57)【要約】【課題】  本発明の目的は、漏水を確実に防止できると共に、メンテナンスを行いやすい、洗浄水ヒータを内蔵した食器洗浄機用すすぎ水タンクを提供すること。【解決手段】  本発明の食器洗浄機１のすすぎ水タンク９は、食器洗浄機に付随して設けられ、この食器洗浄機の洗浄室内に噴射するすすぎ水を貯留させるもので、貯留させたすすぎ水を暖めるすすぎ水ヒータ２１を内部に有すると共に、このすすぎ水ヒータ２１を取り付ける取付孔２８、及び、内部のすすぎ水の水位を検出する水位検知装置２９を有し、すすぎ水ヒータ２１の一部が、取付孔２１から外部に導出されて電力供給源に接続されており、取付孔２８の下端が、水位検知装置２９の検出結果に基づいて維持されるすすぎ水の所定の規定水位Ｌ１よりも上方に配置されていることを特徴としている。【選択図】      図３
2005034373.tif 000002
【特許請求の範囲】
【請求項１】
食器洗浄機に付随して設けられ、該食器洗浄機の洗浄室内に噴射するすすぎ水を貯留させるすすぎ水タンクにおいて、
貯留させたすすぎ水を暖めるすすぎ水ヒータを内部に有すると共に、該すすぎ水ヒータを取り付ける取付孔、及び、内部のすすぎ水の水位を検出する水位検知装置を有し、
前記すすぎ水ヒータの一部が、前記取付孔から外部に導出されて電力供給源に接続されており、
前記取付孔の下端が、前記水位検知装置の検出結果に基づいて維持されるすすぎ水の所定の規定水位よりも上方に配置されていることを特徴とする食器洗浄機用すすぎ水タンク。
【請求項２】
前記すすぎ水ヒータが、前記取付孔近傍から内部底面近傍まで延設され、さらに、該底面に沿って延設されていることを特徴とする請求項１に記載の食器洗浄機用すすぎ水タンク。
【請求項３】
内部底面が傾斜面とされており、該傾斜面の最下方部に、内部に貯留されたすすぎ水を排出するドレイン孔が配置されていることを特徴とする請求項１又は２に記載の食器洗浄機用すすぎ水タンク。
【請求項４】
内部を閉塞する蓋部材をさらに有しており、前記取付孔が前記蓋部材に形成されていることを特徴とする請求項１〜３の何れか一項に記載の食器洗浄機用すすぎ水タンク。
【請求項５】
内部に貯留したすすぎ水が所定のオーバーフロー水位以上となった場合にすすぎ水を外部に排出させるオーバーフローパイプをさらに有し、前記オーバーフロー水位は前記規定水位よりも上方に設定されており、前記取付孔の下端が、前記オーバーフロー水位よりも上方に配置されていることを特徴とする請求項１〜４の何れか一項に記載の食器洗浄機用すすぎ水タンク。
【発明の詳細な説明】
【技術分野】
【０００１】
本発明は、食器洗浄機に付随して配設され、洗浄室内に噴射するすすぎ水を貯留させる食器洗浄機用すすぎ水タンクに関する。
【背景技術】
【０００２】
周知のように、食器洗浄機では、洗浄水タンク内に貯留された洗浄水を約６０℃程度にまで暖め、この暖めた洗浄水を洗浄ノズルから噴射して食器の洗浄を行う。そして、その後、すすぎ水タンク内に貯留されたすすぎ水を約８０℃程度にまで暖め、この暖めたすすぎ水をすすぎノズルから噴射することで食器類のすすぎを行っている。このように、暖めた洗浄水やすすぎ水を用いることで、食器類に付いた油分などの汚れを落とす洗浄力を向上させている。
【０００３】
上述したような温水を供給するために、ガスや電力を用いて温水を生成させることが行われており、外部の給湯器から温水を供給し、すすぎ水タンク内では電気ヒータで温度を所定温度に維持するものもある（電気ヒータで昇温させることも可能である）。すすぎ水を貯留させるすすぎ水タンクの内部に電気ヒータを内蔵させた食器洗浄機としては、［特許公報１］に記載のものなどがある。
【特許文献１】特開平９−２８９９６３号公報
【発明の開示】
【発明が解決しようとする課題】
【０００４】
内部に電力によって発熱するヒータ１０１を内蔵させた従来のすすぎ水タンク１００を図６に示す。図６に示されるすすぎ水タンク１００は、通常はすすぎ水タンク１００に付随して配設される水位検知装置（フロートスイッチ）によって検出され、これに基づいてすすぎ水タンク１００への給水を制御し、すすぎ水タンク１００内の水位を規定水位Ｌ１に維持している。なお、すすぎ水タンク１００は、内部のすすぎ水がオーバーフロー水位Ｌ２以上となった場合に、すすぎ水をすすぎ水タンク１００から排出させるオーバーフローパイプ１０２も有している。即ち、普段は水位検知装置で規定水位を調整しており、最終的な異常時の上限水位（オーバーフロー水位）がオーバーフローパイプ１０２の位置によって規定されている。
【０００５】
すすぎ水タンク１００に内蔵されたヒータ１０１はＵ字状のヒータであり、その一端が図中手前側の取付孔１０３の取り付けられ、他端が図中奥側の取付孔１０３（図６中では重なっており、奥側の取付孔１０３は見えない）に取り付けられている。しかし、このような従来のすすぎ水タンク１００では、メンテナンスが長期にわたって行われなかった場合などに、取付孔１０３からの漏水が懸念される。また、ヒータ１０１のメンテナンス時には、すすぎ水タンク１００内のすすぎ水を全て排出させる必要があり、メンテナンス作業を行いにくいという問題もあった。
【０００６】
従って、本発明の目的は、漏水を確実に防止できると共に、メンテナンスを行いやすい、洗浄水ヒータを内蔵した食器洗浄機用すすぎ水タンクを提供することにある。
【課題を解決するための手段】
【０００７】
請求項１に記載の食器洗浄機用すすぎ水タンクは、食器洗浄機に付随して設けられ、この食器洗浄機の洗浄室内に噴射するすすぎ水を貯留させるもので、貯留させたすすぎ水を暖めるすすぎ水ヒータを内部に有すると共に、すすぎ水ヒータを取り付ける取付孔、及び、内部のすすぎ水の水位を検出する水位検知装置を有し、すすぎ水ヒータの一部が、取付孔から外部に導出されて電力供給源に接続されており、取付孔の下端が、水位検知装置の検出結果に基づいて維持されるすすぎ水の所定の規定水位よりも上方に配置されていることを特徴としている。
【０００８】
請求項２に記載の発明は、請求項１に記載の食器洗浄機用すすぎ水タンクにおいて、すすぎ水ヒータが、取付孔近傍から内部底面近傍まで延設され、さらに、該底面に沿って延設されていることを特徴としている。
【０００９】
請求項３に記載の発明は、請求項１又は２に記載の食器洗浄機用すすぎ水タンクにおいて、内部底面が傾斜面とされており、該傾斜面の最下方部に、内部に貯留されたすすぎ水を排出するドレイン孔が配置されていることを特徴としている。
【００１０】
請求項４に記載の発明は、請求項１〜３の何れか一項に記載の食器洗浄機用すすぎ水タンクにおいて、内部を閉塞する蓋部材をさらに有しており、すすぎ水ヒータを取り付ける取付孔がこの蓋部材に形成されていることを特徴としている。
【００１１】
請求項５に記載の発明は、請求項１〜４の何れか一項に記載の食器洗浄機用すすぎ水タンクにおいて、内部に貯留したすすぎ水が所定のオーバーフロー水位以上となった場合にすすぎ水を外部に排出させるオーバーフローパイプをさらに有し、オーバーフロー水位は上述した規定水位よりも上方に設定されており、上述した取付孔の下端が、オーバーフロー水位よりも上方に配置されていることを特徴としている。
【発明の効果】
【００１２】
請求項１に記載の食器洗浄機用すすぎ水タンクによれば、内部に配設されるすすぎ水ヒータの取付孔が、水位検知装置の検出結果に基づいて維持されるすすぎ水の所定の規定水位よりも上方に配置されているため、取付孔からの漏水を確実に防止することができる。また、メンテナンス時などに、取付孔に取り付けられているすすぎ水ヒータの取付部分を外すだけですすぎ水ヒータをすすぎ水タンクから分離させることができるので、すすぎ水タンクにすすぎ水が貯留されているような状態でもすすぎ水ヒータを容易に取り外すことができ、メンテナンスを行いやすい。
【００１３】
請求項２に記載の食器洗浄機用すすぎ水タンクによれば、すすぎ水ヒータ（の発熱部）をタンクの底面近傍まで十分に近接させて配設することができ、すすぎ水タンク内のすすぎ水全体を最も下方から効率的に暖めることができる。
【００１４】
請求項３に記載の食器洗浄機用すすぎ水タンクによれば、内部底面が傾斜面とされ、この傾斜面の最下方部にドレイン孔が配置されているため、すすぎ水タンク内のすすぎ水を完全に排水させることができる。また、このようにしても、すすぎ水ヒータ（の発熱部）は、取付孔からすすぎ水タンクの底部に延設された後に底部に沿ってさらに延設される形態であることから、すすぎ水ヒータの発熱部の全体を傾斜した底部内面に近接させることが可能である。
【００１５】
請求項４に記載の食器洗浄機用すすぎ水タンクによれば、内部に配設されるすすぎ水ヒータの取付孔が蓋部に形成されているため、蓋部を取り外すだけで、すすぎ水ヒータをすすぎ水タンクの内部から取り出すことができる。このため、すすぎ水タンクの内部を清掃する際などに、蓋部を取り外すという作業と同時にすすぎ水ヒータも取り出すことができ、清掃（メンテナンス）を行いやすい。
【００１６】
請求項５に記載の食器洗浄機用すすぎ水タンクによれば、すすぎ水ヒータの取付孔が、オーバーフローパイプによって規定されるオーバーフロー水位（＞規定水位）よりも上方に配置されているため、取付孔からの漏水をより確実に防止することができる。
【発明を実施するための最良の形態】
【００１７】
本発明の食器洗浄機用すすぎ水タンクの一実施形態について以下に説明する。本実施形態のすすぎ水タンクを有する食器洗浄機の外観を図１に、この食器洗浄機の一部を切断して洗浄室４の内部まで見えるようにしたものを図２に示す。
【００１８】
図１及び図２に示されるように、食器洗浄機１は、その下部に機械室２を有し、その上部に開閉扉３によって開閉される洗浄室４を有している。なお、図１は、機械室２を覆うパネルを一部切り欠いた状態が示されており、その内部の配管などは図示が省略されている。また、図２において、切断面はその詳細の図示を省略してある（すすぎ水ポンプ１２の内部など）。これらのパネルや開閉扉３などの食器洗浄機１の筐体の主要部分はステンレス鋼板等により形成されている。機械室２の内部上方には、洗浄水を貯留させておく洗浄水タンク５が配設されている。洗浄水タンク５は、洗浄室４に向けて上方に開口されている。
【００１９】
洗浄水タンク５の正面側側壁には、洗浄水タンク５内に貯留された洗浄水を後述する洗浄ノズル６，７に送出する洗浄水ポンプ８が直接取り付けられており、部品点数の減少化と省スペース化とが達成されている。また、機械室２の底部には、すすぎ水を貯留させるすすぎ水タンク９が載置されている。すすぎ水タンク９に付随して、すすぎ水タンク９内に貯留されたすすぎ水を後述するすすぎノズル１０，１１に送出するすすぎ水ポンプ１２が取り付けられている。すすぎ水タンク９とすすぎ水ポンプ１２との間は、連結管２０で連結されている。機械室２の内部には、このほかにも食器洗浄機１全体の動作を総合的に制御するマイクロコンピュータが内蔵された電装箱（図示せず）なども内蔵されている。
【００２０】
また、図示されないが、洗浄水タンク５には、その内部に貯留された洗浄水を昇温・保温する洗浄水ヒータが取り付けられている。洗浄水温度を一定の温度に維持するために、洗浄水タンク５にはサーモスタット（図示せず）も配設されている。一方、すすぎ水タンク９には、図３に示されるように、その内部のすすぎ水を昇温・保温するすすぎ水ヒータ２１がタンク内部に取り付けられている。すすぎ水タンク９については、追って詳しく説明する。
【００２１】
開閉扉３にはハンドル１４が取り付けられており、ハンドル１４を上下に移動させることで開閉扉３を上下に移動させることができる。開閉扉３を上方に移動させることで内部の洗浄室４を開放し、開閉扉３を下方に移動させることで洗浄室４を閉塞することができる。洗浄室４の内部下方（洗浄水タンク５の上方）には、下方から上方に向けて洗浄水を噴射する洗浄ノズル６が配設されている。洗浄ノズル６は、三方に延びる回転可能なアームからなり、上述した洗浄水ポンプ８と接続管１５によって接続されている。
【００２２】
洗浄室４の内部上方にも、上述した洗浄ノズル６と対向する形で、上方から下方に向けて洗浄水を噴射する洗浄ノズル７が配設されている。洗浄ノズル７も、三方に延びる回転可能なアームからなり、上述した洗浄水ポンプ８と接続管１６によって接続されている。洗浄水ポンプ８は、洗浄水タンク５内の洗浄水を接続管１５，１６（一部共有している）を介して洗浄ノズル６，７に送出する。洗浄ノズル６，７は、そのアームに配設された噴射孔から洗浄水を噴射させつつ、この噴射の反力で回転する。
【００２３】
洗浄室４内のラックレール１７上に、食器類を収納した図示されないラックが収納されて開閉扉３が閉じられた後、上述したように洗浄ノズル６，７から洗浄水を噴射させつつ回転させることで、食器類を洗浄する。洗浄水は循環利用される。なお、洗浄水タンク５内部の洗浄ノズル６のすぐ下方には、着脱可能なフィルタ（図示せず）が取り付けられ、洗浄時に洗い落とされた残滓などがトラップされる。同様に、洗浄室４の内部下方（洗浄水タンク５の上方）には下方から上方に向けてすすぎ水を噴射するすすぎノズル１０が配設され、洗浄室４の内部上方には上方から下方に向けてすすぎ水を噴射するすすぎノズル１１が配設されている。
【００２４】
下方のすすぎノズル１０は洗浄ノズル６の上側に、上方のすすぎノズル１１は洗浄ノズル７の下側に位置している。すすぎノズル１０，１１は、対向する二方向に延ばされた一対のアームを有しており、洗浄ノズル６，７と同様にすすぎ水の噴射の反力で回転する。すすぎノズル１０，１１は、接続管１８，１９（一部共有している）によって上述したすすぎ水ポンプ１２とそれぞれ接続されている。すすぎ水ポンプ１２は、すすぎ水タンク９内のすすぎ水を接続管１８，１９を介してすすぎノズル１０，１１に送出する。すすぎノズル１０，１１は、回転しつつ、そのアームに配設された噴射孔からすすぎ水を噴射させる。
【００２５】
すすぎ水タンク９及びその内部に取り付けられるすすぎ水ヒータ２１について詳しく説明する。図３にすすぎ水タンク９の断面図、図４にすすぎ水タンク９の平面図を示す。図３は、図４におけるIII−III線断面図でもある。なお、図４においては、内部のすすぎ水ヒータ２１延設状態がよく分かるように、図３中に示されるフロートスイッチ２９や給水管３０及び電磁バルブ３１などはその図示が省略されている。
【００２６】
すすぎ水タンク９も、食器洗浄機１の主要部分と同様にステンレス鋼板によって構成されており、すすぎ水を貯留させる箱部２２と、この箱部２２の上部開口部を閉じる蓋部２３とからなっている。箱部２２の内部底面は傾斜されており、この傾斜の下方に位置する箱部２２の一側面には、すすぎ水タンク９内のすすぎ水を全て排出させる際の排出口となるドレインパイプ２４が取り付けられている（ドレイン孔が設けられている）。このように、箱部２２の底部が傾斜されているため、機械室２の内部底面上に載置させる際に安定するようにステー２５（図３参照）及びステー２６（図４参照）が箱部２２の外側面上に溶接固定されている。
【００２７】
また、上述したように、すすぎ水タンク９の箱部２２には、すすぎ水ポンプ１２にすすぎ水を供給する連結管２０も接続されている。図３に示されるように、箱部２２の内部におけるドレインパイプ２４の下端は、この連結管２０の下端よりも下方に位置されている。これは、すすぎ水タンク９の内部からすすぎ水を排出させたときに、すすぎ水ポンプ１２内部の水も自己排出させるためであり、残水がすすぎ水ポンプ１２の内部に残されることがなくなり衛生上好適である。
【００２８】
また、箱部２２の側壁部の上方には、すすぎ水タンク９内部のすすぎ水がオーバーフロー水位Ｌ２を超えた場合に、すすぎ水をすすぎ水タンク９の外部に排出させるオーバーフローパイプ２７が側方に向けて接続されている。オーバーフローパイプ２７の位置によって、オーバーフロー水位Ｌ２が規定されているとも言える。なお、オーバーフローパイプからすすぎ水が排水される場合としては、後述する水位レベルセンサ（水位検知装置：フロートスイッチ２９）のフロートが固着してしまった場合や、センサ自体が故障した場合などが想定される。
【００２９】
箱部２２の一側面（図３及び図４における左方側面）の上方には、すすぎ水ヒータ２１をすすぎ水タンク９の内部に配設させるための一対の取付孔２８が穿孔されている。取付孔２８は円形である。一方、蓋部２３は、箱部２２の開放部にほぼ一致する平板な部材でであり、箱部２２に対してはその周縁部の何カ所かでビス止めされる。図３に示されるように、この蓋部２３には、箱部２２内部のすすぎ水の水位を検出する水位レベルセンサとしてのフロートスイッチ２９や、すすぎ水タンク９内への給水（給湯）口となる給水管３０が取り付けられている。給水管３０には、電磁バルブ３１も取り付けられている。
【００３０】
フロートスイッチ２９は、すすぎ水タンク９内のすすぎ水が所定の規定水位（満水レベル）Ｌ１に達したか否かを検出するものである。規定水位Ｌ１は、上述したオーバーフロー水位Ｌ２よもやや下方に設定されている。また、給水管３０は図示されない食器洗浄機１外部の給湯器に接続されており、給湯器からの温水の給水を電磁バルブ３１によって開始・停止させることができる。また、図示されていないが、すすぎ水タンク９には、内部のすすぎ水の温度を検出するサーモスタットも取り付けられている。
【００３１】
食器のすすぎ時には、すすぎ水タンク９内部のすすぎ水が連結管２０を介してすすぎ水ポンプ１２の内部に取り込まれ、すすぎ水ポンプ内に取り込まれたすすぎ水は送出管３２（図４参照）から上述した接続管１８，１９に送出される。接続管１８，１９に送出されたすすぎ水は、すすぎ水ポンプ１２による送出圧力ですすぎノズル１０，１１から噴射される。噴射されたすすぎ水は、洗浄水タンク５内に流下し、その後は洗浄水として再利用される。
【００３２】
このようにしてすすぎ水が消費されると、すすぎ水タンク９内のすすぎ水は減少し、上述した規定水位Ｌ１以下となる。規定水位Ｌ１以下となったことがフロートスイッチ２９によって検出された場合は、電磁バルブ３１が開かれ、給水管３０を介して新しいすすぎ水がすすぎ水タンク９内に供給される。その後、すすぎ水が規定水位Ｌ１に達したことがフロートスイッチによって検出されると、電磁バルブ３１が閉じられ、すすぎ水はすすぎ水ヒータ２１によって所定温度に維持された状態で貯留される。
【００３３】
フロートスイッチ２９の故障などが生じると、電磁バルブ３１が開放されたままとなる可能性がある。この場合は、すすぎ水タンク９内のすすぎ水が規定水位Ｌ１に達したとしても給水が継続される。この結果、すすぎ水の水位は規定水位Ｌ１を超え、オーバーフロー水位Ｌ２に達した後はオーバーフローパイプを介してすすぎ水タンク９の外部に排出される。ただし、すすぎ水は、洗浄水とは違って綺麗な水であるためフロートスイッチ２９が正常に機能しなくなる（例えば、水中の異物や油分などで固着する）ようなことはほとんどない。これらのフロートスイッチ２９や電磁バルブ３１は、上述した電装箱内の制御部に接続されており、この制御部に検出結果を送出したり、制御部からの信号に基づいて制御されている。
【００３４】
すすぎ水は、上述したように、すすぎ水タンク９内部に配設されたすすぎ水ヒータ２１によってその温度が一定となるように管理されている。すすぎ水タンク９内部のすすぎ水が規定温度以下となったことがサーモスタットによって検出された場合は、すすぎ水ヒータ２１に電力が供給され、すすぎ水ヒータ２１が発熱する。すすぎ水ヒータ２１の発熱によってすすぎ水が昇温され、すすぎ水の温度が規定温度に達したことがサーモスタットによって検出された場合は、すすぎ水ヒータ２１への通電が停止される。これらのすすぎ水ヒータ２１やサーモスタットも、上述した電装箱内の制御部に接続されており、この制御部に検出結果を送出したり、制御部からの信号に基づいて制御されている。
【００３５】
すすぎ水ヒータ２１は、側面から見るとほぼＬ字状（図３参照）、平面で見るとほぼＵ字状（図４参照）の形態を有している。そして、その両端部近傍が上述した箱部２２の一対の取付孔２８に取り付けられており、両端部はすすぎ水タンク９（箱部２２）の外部に導出され、リード線１３を介して電力供給源に接続されている。すすぎ水ヒータ２１端部近傍の取付孔２８への取り付け部分は、すすぎ水タンク９内部側から、すすぎ水ヒータ２１のフランジ３３、シール材としてのゴムワッシャ３４、箱部２２の側壁部（取付孔２８）、金属ワッシャ３５、ナット３６の順で構成されている。
【００３６】
すすぎ水ヒータ２１は、この取付部からほぼ水平方向にタンク内部に導出された後、すぐにほぼ垂直下方にタンク底部近傍まで延設され、さらに底部に沿って延設されている。すすぎ水ヒータ２１の発熱部のほとんどの部分は、タンクの底部に接しない程度に近接される。このようにすることで、タンク内のすすぎ水を効率よく昇温・保温することができる。
【００３７】
図６に示した従来のすすぎ水ヒータ１０１では、すすぎ水ヒータ１０１を取り付けるために必須なフランジ１０４やナット１０５などのために発熱部をタンク底面まで十分に近接させることができない。このため、すすぎ水ヒータ１０１の発熱部と、すすぎ水タンク１００の底部との間のすすぎ水は十分に暖められない。これに対して、本実施形態のすすぎ水ヒータ２１によれば、すすぎ水タンク９内のすすぎ水全体を効率よく暖めることができる。
【００３８】
また、本実施形態のすすぎ水タンク９は底部内面が傾斜されているが、すすぎ水ヒータ２１（の発熱部）は、取付孔２８からすすぎ水タンク９の底部に延設された後に底部に沿ってさらに延設される形態であることから、すすぎ水ヒータの発熱部の全体を底部内面に近接させることを容易に行える。図６に示した従来のすすぎ水ヒータ１０１において底部内面を傾斜させると、すすぎ水ヒータ１０１と底面との距離が不均一となり、効率よくすすぎ水を暖めることが難しい。すすぎ水タンク１００自体の形状を工夫すれば、すすぎ水ヒータ１０１と底面との距離を均一とすることは可能であるが、すすぎ水タンク１００の加工が難しくなる。
【００３９】
また、すすぎ水ヒータ２１のフランジ３３と実際の発熱部との間（図３中のＸ部分）には非発熱部が存在する。これは、フランジの熱膨張・収縮による取付部分のゆるみやゴムワッシャ３４の劣化を防止するためなどの目的で設定する必要がある。本実施形態の場合は、取付孔２８が規定水位Ｌ１よりも上方に配置されているため、この非発熱部分の全体あるいは大部分が満水時の水面下に位置しないため、発熱部のみを有効に利用することができる。むしろ、水面よりも上の部分は発熱させない方がよく、設定する必要がある非発熱部を好適な場所に配置していると言うこともできる。
【００４０】
図６に示した従来のすすぎ水ヒータ１０１でも、やはり非発熱部は設定する必要がある。しかし、図６のすすぎ水ヒータ１０１では、この非発熱部は水中に位置しているにもかかわらず、すすぎ水を暖めることはなく、すすぎ水を有効に暖めることに関与していない。これに対して、本実施形態のすすぎ水ヒータ２１は、水中に位置するほとんどの部分で、すすぎ水タンク９内のすすぎ水全体を効率よく暖めることができる。
【００４１】
本実施形態の食器洗浄機用すすぎ水タンクによれば、そのすすぎ水タンク９に取り付けられるすすぎ水ヒータ２１の取付孔２８の下端が、上述した規定水位Ｌ１よりも上方に配置されているため、取付孔２８からの漏水を防止することができる。また、メンテナンス時などに、取付孔２８に取り付けられているすすぎ水ヒータ２１の取付部分を外すだけですすぎ水ヒータ２１をすすぎ水タンク９から分離させることができるので、すすぎ水タンク９にすすぎ水が貯留されているような状態でもすすぎ水ヒータ２１を容易に取り外すことができ、メンテナンスを行いやすい。
【００４２】
本実施形態ではさらに、取付孔２８の下端はオーバーフロー水位Ｌ２よりも上方に位置されている。上述したように、すすぎ水タンク１２に置いては、オーバーフローパイプ２７からすすぎ水が排出されることがごくまれであるが、このように取付孔２８の下端をオーバーフロー水位Ｌ２よりも上方に位置させることで、より確実に取付孔２８からの漏水を防止することができる（漏水を発生させない）。
【００４３】
図５に、他の実施形態のすすぎ水タンク９（すすぎ水ヒータ２１）を示す。本実施形態は、上述した実施形態に準ずるものである。このため、上述した実施形態と同一又は同等の構成部分には、同一の符号を付してその詳しい説明を省略する。以下には、上述した実施形態と異なる部分についてのみ説明する。なお、本実施形態のすすぎ水タンク９からの送水や、すすぎ水タンク９への給水、すすぎ水ヒータ２１による昇温・保温の各制御も上述した実施形態と同様であるため、これらについても説明を省略する。
【００４４】
図５に示されるように、本実施形態のすすぎ水ヒータ２１の両端部が蓋部２３に取り付けられている。即ち、すすぎ水タンク９の上面である蓋部２３に一対の取付孔２８が穿孔されている。この場合も、取付孔２８は、規定水位Ｌ１及びオーバーフロー水位Ｌ２よりも上方に位置している。また、すすぎ水ヒータ２１は、取付孔２８からほぼ垂直下方にタンク底部近傍まで延設され、さらに底部に沿って延設されている。
【００４５】
本実施形態の場合は、蓋部２３を箱部２２から取り外すだけで、すすぎ水ヒータ２１をすすぎ水タンク９内部から取り出すことができる。このため、すすぎ水タンク９の内部を清掃する際などに、蓋部２３を取り外すという作業と同時にすすぎ水ヒータ２１をも取り出すことができ、清掃（メンテナンス）を行いやすい。説明するまでもなく、取付孔２８からの漏水が発生しないことは上述した実施形態と同様である。
【００４６】
本発明は、上述した実施形態に限定されるものではない。たとえば、上述した実施形態では、Ｕ字状のすすぎ水ヒータ２１を一つだけすすぎ水タンク９内に配設させたが、複数のすすぎ水ヒータをすすぎ水タンク内に配設させても良い。また、すすぎ水ヒータの形状も、上述した実施形態のようなＵ字状でなければならないということはなく、発熱面積を多くするためにコイル状の形態としたものなどを用いても良い。
【００４７】
また、上述した実施形態のすすぎ水タンク１２は、食器洗浄機１２の内部に配設されるものであった。しかし、上述したようなすすぎ水ヒータを有するすすぎ水タンクは、食器洗浄機とは別体に設けられる電気ブースター内のタンクとして配設される場合もあり得る。本発明のすすぎ水タンクは、このようなブースタータイプに対しても適用することが可能である。
【図面の簡単な説明】
【００４８】
【図１】本発明のすすぎ水タンクの一実施形態を有する食器洗浄機の全体を示す斜視図である。
【図２】本発明のすすぎ水タンクの一実施形態を有する食器洗浄機の内部を示す一部切断斜視図である。
【図３】本発明のすすぎ水タンクの一実施形態の断面図である。
【図４】本発明のすすぎ水タンクの一実施形態の平面図である。
【図５】本発明のすすぎ水タンクの他の実施形態の断面図である。
【図６】従来のすすぎ水タンクの断面図である。
【符号の説明】
【００４９】
１…食器洗浄機、２…機械室、３…開閉扉、４…洗浄室、５…洗浄水タンク、６，７…洗浄ノズル、６，７…洗浄ノズル、８…洗浄水ポンプ、９…すすぎ水タンク、１０，１１…すすぎノズル、１２…すすぎ水ポンプ、１３…洗浄水ヒータ、１４…ハンドル、１５，１６…接続管、１７…ラックレール、１８，１９…接続管、２１…すすぎ水ヒータ、２２…箱部、２３…蓋部、２４…ドレインパイプ（ドレイン孔）、２７…オーバーフローパイプ、２８…取付孔、２９…フロートスイッチ（水位検知装置）、Ｌ１…規定水位、Ｌ２…オーバーフロー水位。
【図１】
2005034373.tif 000003
【図２】
2005034373.tif 000004
【図３】
2005034373.tif 000005
【図４】
2005034373.tif 000006
【図５】
2005034373.tif 000007
【図６】
2005034373.tif 000008